(57)【特許請求の範囲】
【請求項１】
上部筐体と下部筐体とをヒンジを介して回転可能に結合して成る携帯電話機において、
上部筐体及び下部筐体の何れか一方の筐体に、ヒンジに隣接し該ヒンジを開いた際に他方の筐体に当接する弾性体を取り付け、該弾性体によって前記一方の筐体と前記他方の筐体との成す角度を通話者のフェイスラインに応じて弾性的に制限すると共に、
前記一方の筐体と前記他方の筐体との最大角度を制限し前記弾性体を保護するストッパを前記弾性体とは別体に設けたことを特徴とする携帯電話機。
【請求項２】
前記一方の筐体は、前記弾性体を収容する凹部を有し、前記他方の筐体は、前記弾性体を介して前記凹部内に収容される突起を有する、請求項１に記載の携帯電話機。
【請求項３】
前記一方の筐体と他方の筐体との成す最大角度が１８０度以上である、請求項１又は２に記載の携帯電話機。
【発明の詳細な説明】
【０００１】
【発明の属する技術分野】
本発明は、携帯電話機に関し、更に詳しくは、折り畳み式携帯電話機の折り畳み可能に接続された２つの筐体の接続部の構造に関する。
【０００２】
【従来の技術】
近年携帯電話機は、その機能やデザインが多様化してきている。中でも折り畳み式の携帯電話機は、デザイン性に優れること、形状がコンパクトであること、及び液晶表示部が大きいこと等の点で人気があり、利用者が増加している。図８は、従来の折り畳み式携帯電話機の構造を示している。携帯電話機５０は、２つの筐体から構成され、上部筐体５１には液晶表示部６５とレシーバ６０とが配設され、下部筐体５２にはキースイッチ部６６とマイク６１とが配設されている。これら２つの筐体は、ヒンジを成す接続部５５で相互に接続され、ほぼ０度から１６０度程度までの間で回転可能である。携帯電話機５０は、これら２つの筐体を開いた使用状態で通話やキー入力に使用され、また筐体を閉じた状態でバッグ等に収容される。
【０００３】
使用状態で上部筐体５１と下部筐体５２とを最大に開いた際に２つの筐体が接続部５５で成す角度、つまり最大開口角度αは、液晶表示部６５を見ながらキー入力をする際の利用者の姿勢、及び通話中の耳と口との相対的な位置関係を勘案して決定される。従来の携帯電話機５０では、この最大開口角度αは、一般に１６０度付近に固定されている。
【０００４】
【発明が解決しようとする課題】
携帯電話機５０を使用する人の顔の形や大きさは、個々に異なる。このため、人によっては、通話時に上部筐体５１のレシーバ６０が耳から離れ、音声が聞き取りにくくなったり、或いは、下部筐体５２のマイク６８が口から離れすぎ、通話相手に自分の音声が伝わりにくくなったりするという問題があった。
【０００５】
また、携帯電話本体が使用状態のまま放置された場合に、上方から強い力がかかると、接続部５５が更に開く方向に力を受け、この部分が損傷しやすいという問題もあった。
【０００６】
本発明は、携帯電話機の最大開口角度を可変とすることで、個々に異なる顔の形に適合させることができ、また使用状態時に外力による接続部の損傷を防ぐことができる携帯電話機を提供することを目的とする。
【０００７】
【課題を解決するための手段】
上記目的を達成するため、本発明の携帯電話機は、上部筐体と下部筐体とをヒンジを介して回転可能に結合して成る携帯電話機において、上部筐体及び下部筐体の何れか一方の筐体に、ヒンジに隣接し該ヒンジを開いた際に他方の筐体に当接する弾性体を取り付け、該弾性体によって前記一方の筐体と前記他方の筐体との成す角度を通話者のフェイスラインに応じて弾性的に制限すると共に、前記一方の筐体と前記他方の筐体との最大角度を制限し前記弾性体を保護するストッパを弾性体とは別体に設けたことを特徴とする。
【０００８】
一方の筐体に弾性体を取り付けることによって、筐体を開いた際に、他方の筐体に当接する弾性体の弾性力により筐体の成す最大開口角度を可変とする、緩衝構造を得ることができる。
【０００９】
本発明の携帯電話機は、前記一方の筐体が、前記弾性体を収容する凹部を有し、前記他方の筐体は、前記弾性体を介して前記凹部内に収容される突起を有することが好ましい。
弾性体を凹部に挿入し、筐体を開いた際に突起部が凹部に収容されて弾性体を押圧することにより、簡素な構造によって緩衝構造を得ることができる。
【００１０】
前記一方の筐体と他方の筐体との成す最大角度が１８０度以上であることも、本発明の好ましい態様である。
通常の使用状態から更に１８０度以上にまで開く構成を採用することで、筐体が開いた状態で大きな外力がかかっても、接続部の損傷を防ぐことが可能となる。
【００１１】
【発明の実施の形態】
以下図面を参照し、本発明の実施形態例に基づいて、本発明を更に詳細に説明する。図１は本発明の第１の実施形態例の携帯電話機を示している。携帯電話機１０は、上部筐体１１と下部筐体１２とで構成され、これら２つの筐体は、ヒンジを成す接続部１５で接続されている。上部筐体１１は、レシーバ２０及び液晶表示部２５を有し、下部筐体１２は、マイク２１及びキースイッチ部２６を有する。
【００１２】
図２は、図１の携帯電話機１０のＡ−Ａ断面の一部詳細を示す。下部筐体１２は、接続部１５に隣接した位置に凹部１７と、クッション１８と、ストッパ１９とを有する。凹部１７は、上部筐体１１と下部筐体１２とが当接する面（当接面）に配設され、弾性材料（軟性材料）で形成されたクッション１８を内部に収容する。上部筐体１１は、その当接面より突出する突起部１６を有する。２つの筐体を開くと、突起部１６は、クッション１８を介して凹部１７に収容され、クッション１８の弾性力を受ける。このため筐体の開口角度は、通話者の顔の形にフィットする。以下、詳述する。
【００１３】
図３は上部筐体１１の背面側を示している。突起部１６は、上部筐体１１の当接面の中心付近から、当接面の幅の半分程度の幅を有している。図４は、図１の携帯電話機１０の筐体を手で開いた際の、通常の開口角度の状態のＡ−Ａ断面を示している。図示のように、通常の開口角度は、約１６０度に設定される。突起部１６は、凹部１７に挿入されたクッション１８に当接している。一般に、利用者は、この状態でキー入力を行う。
【００１４】
図５は、図１の携帯電話機１０が、通常の開口角度の状態から、外力によって更に開く方向へ回転した状態の一部詳細を示している。通常の開口角度から、下部筐体１２を手に持ち、上部筐体１１を耳に当てるなどして、更に開く方向に回転させる外力を加えると、図５に示すように、突起部１６は、弾性部材からなるクッション１８を押し、凹部１７の内部へ入り込む。凹部１７は、突起部１６の形状に適合し、筐体の最大開口角度が１８０度以上となるまで、突起部１６を収容可能である。
【００１５】
携帯電話機１０の開口角度は、突起部１６が凹部１７に入り込む分だけ、通常の開口角度として設定されている１６０度よりも大きくなる。そのときクッション１８は、突起部１６に押し込まれて縮むとともに、その伸縮性により、押し込まれた突起部１６を押し戻す弾性力を発生する。携帯電話機１０は、開方向へ回転させる外力のかかっている間は、開口角度が大きくなり、外力が働かなくなると、通常の開口角度に復帰する。また、ストッパ部１９を当接面に設けることにより、携帯電話機１０を最大開口角度まで開いた際に、突起部１６に大きな荷重がかからないようにする。
【００１６】
本実施形態例の携帯電話機１０は、通話時に上筐体１１を耳に、下部筐体１２を口にあてがって、開方向に力を働かせると、通常の開口角度から更に開口角度を調節できる。このため、個人個人のフェイスラインに応じて、レシーバ２０を耳にフィットさせ、マイク２１を常に口元に維持することを可能としている。
【００１７】
また、最大開口角度を１８０度以上にした場合には、携帯電話機を開いた状態で置いたとき、外力により、更に開く方向に力を受けた場合であっても、接続部１５にかかる力を上記の構造により分散させ、損傷を防ぐことも可能となる。
【００１８】
図６は、本発明の第２の実施形態例の携帯電話機の、図１のＡ−Ａ断面図に相当する断面の一部詳細を示している。本実施形態例の携帯電話機１０は、接続部１５付近の構造を除いて、第１の実施形態例の携帯電話機と同様の構造を有する。
【００１９】
図６に示すように、携帯電話機１０は、接続部１５に隣接した位置に、ダンパ部３６と、固定リブ３７と、開口部３８とを有する。ダンパ部３６は、弾性材料（軟質材料）を用いて成形される。このダンパ部３６の基部（底部）は板状に形成され、上部筐体１１内に配設した固定リブ３７で、上部筐体１１の前面と背面との間に挟み込まれて保持される。これにより、下部筐体１２に当接した際に、ダンパ部３６が、上部筐体１１の内部方向に進入することを防止する。ダンパ部３６の先端は、上部筐体１１の当接面に設けた開口部３８から、突出するように配設される。開口部３８付近は、ダンパ部３６が下部筐体に当接した際に変形するため、その空間に余裕を持たせておく。また、ダンパ部３６は、第１の実施形態例の突起部１６と同様に、上部筐体１１の当接面の中心付近から、当接面の幅のほぼ半分程度の幅を有している。
【００２０】
図７は、図６の携帯電話機１０を、通常の開口角度から、外力により更に開く方向へ回転させたときの一部詳細を示す断面図である。ダンパ部３６は、下部筐体１２の当接面に当接して押圧されるが、固定リブ３７で基部を固定されるため、単に圧縮される。同時にダンパ部３６は、その伸縮性により、開口角度を通常の使用状態に戻る方向へ力を働かせる。
【００２１】
本実施形態例の携帯電話機１０は、第１の実施形態例と同様に、通常の開口角度から更に開く方向に開口角度を調節でき、同様の利点がある。第１の実施形態例と比較すると、下部筐体１２側の構造が簡素になる利点がある。
【００２２】
以上、本発明をその好適な実施形態例に基づいて説明したが、本発明の携帯電話機は、上記実施形態例にのみ限定されるものでなく、上記実施形態例の構成から種々の修正及び変更を施した携帯電話機も、本発明の範囲に含まれる。
【００２３】
例えば、第１の実施形態例では、上部筐体と下部筐体の接続部の構造を逆とし、突起部を下部筐体に、凹部、クッション及びストッパ部を上部筐体に配設してもよい。第２の実施形態例でも同様に、接続部の構造を上下逆とすることができる。また、クッション、ダンパ部の材質は、弾力性にとみ、繰り返し伸縮しても痛みの少ない材料が好適であり、例えばウレタンやゴムのようなものが考えられるが、これに限られるものではない。
【００２４】
更に、突起部及びダンパ部は、筐体の中心付近に筐体の幅のほぼ半分の幅を有している必要はなく、左右に分かれて配設されていてもよいし、右もしくは左の片方に配設されていてもよい。
【００２５】
【発明の効果】
以上説明したように、本発明の携帯電話機は、携帯電話機の最大開口角度を可変としたことにより、使用状態時に開口角度の調整ができ、更に外力による接続部の損傷を防ぐことができる。
【図面の簡単な説明】
【図１】本発明の第１の実施形態例の携帯電話機の正面図。
【図２】図１の携帯電話機のＡ−Ａ断面を示す断面図。
【図３】図１の携帯電話機の上部筐体の背面図。
【図４】図１の携帯電話機の通常の開口角度時のＡ−Ａ断面図。
【図５】図１の携帯電話機の通常の開口角度時より大きな開口角度時のＡ−Ａ断面図。
【図６】本発明の第２の実施形態例の携帯電話機のＡ−Ａ断面図。
【図７】図６の携帯電話機の通常の開口角度時より大きな開口角度時のＡ−Ａ断面図。
【図８】従来の携帯電話機の、（ａ）正面図、（ｂ）は（ａ）のＡ−Ａ断面図。
【符号の説明】
１０：携帯電話機
１１：上部筐体
１２：下部筐体
１５：接続部
１６：突起部
１７：凹部
１８：クッション
１９：ストッパ
２０：レシーバ
２１：マイク
２５：液晶表示部
２６：キースイッチ部
５０：携帯電話機
５１：上部筐体
５２：下部筐体
５５：接続部
６０：レシーバ
６１：マイク
６５：液晶表示部
６６：キースイッチ部
【図１】
0003994712.tif 000002
【図２】
0003994712.tif 000003
【図３】
0003994712.tif 000004
【図４】
0003994712.tif 000005
【図５】
0003994712.tif 000006
【図６】
0003994712.tif 000007
【図７】
0003994712.tif 000008
【図８】
0003994712.tif 000009